(57)【要約】 【課題】  サイドブラシの横傾斜角を清掃箇所の傾斜角に速やかに対応させるようにした簡単な構成で安価な清掃車のサイドブラシ装置を提供する。【解決手段】  ブラケット１１の先端部１１Ａに、ブラシ支承体１２を自重によって作用するモーメントやサイドブラシ３の接地力によって作用するモーメントがサイドブラシ３の横傾斜角αを負にする方向に作用するように車幅方向外側に変位した枢軸１４を介して回動自在に設け、ブラケット１１の先端部１１Ａとブラシ支承体１２間にブラシ支承体１２がサイドブラシ３の横傾斜角αを負にする方向に回動するのを複数の角度位置で受止め可能な横傾斜角変更装置２０を備えた。【選択図】  図４
2008208579.tif 000002
【特許請求の範囲】
【請求項１】
清掃車の車体に備えたブラケットに、サイドブラシを回転可能に支承しているブラシ支承体をその回転軸線がブラケットに対して横方向に傾くように取付け、サイドブラシの横傾斜角を清掃箇所の傾斜角に対応させるようにしてある清掃車のサイドブラシ装置において、ブラケットの先端部に、ブラシ支承体を自重によって作用するモーメントやサイドブラシの接地力によって作用するモーメントがサイドブラシの横傾斜角を負にする方向に作用するように車幅方向外側に変位した枢軸を介して回動自在に設け、ブラケットの先端部とブラシ支承体間にブラシ支承体がサイドブラシの横傾斜角を負にする方向に回動するのを複数の角度位置で受止め可能な横傾斜角変更装置を備えたことを特徴とする清掃車のサイドブラシ装置。
【請求項２】
ブラケットの先端部には枢軸から離れた位置にストッパ部材を設け、ブラシ支承体には横傾斜角が負になる方向に回動するときストッパ部材に向けて回動する当接部材を設け、ストッパ部材と当接部材の一方には枢軸に対する複数の異なる角度位置に他方に向けて開口する横傾斜角調整溝を設け、ストッパ部材と当接部材の間に複数の横傾斜角調整溝に選択的に係脱可能な調整部材を挟持可能に設けて横傾斜角変更装置を構成して成ることを特徴とする請求項１記載の清掃車のサイドブラシ装置。
【請求項３】
横傾斜角調整溝に選択的に係脱可能な調整部材をブラケットの先端部に保持可能に設けて成ることを特徴とする請求項２記載の清掃車のサイドブラシ装置。
【請求項４】
ブラケットの先端部に左右一対のストッパ部材を設け、当接部材を一対のストッパ部材の間に位置させ、一対のストッパ部材に当接する長尺の調整部材の両端部にストッパ部材に沿う保持部材を夫々設け、保持部材に枢軸に嵌合する長孔を設け、枢軸に長孔を案内させて横傾斜角調整溝に係合する調整部材の位置を変更するようにして成ることを特徴とする請求項２または３記載の清掃車のサイドブラシ装置。
【発明の詳細な説明】
【技術分野】
【０００１】
本発明は、清掃車のサイドブラシ装置に関し、特に、サイドブラシの横傾斜角を清掃箇所の傾斜角に対応させるようにした装置に関する。
【背景技術】
【０００２】
清掃車のサイドブラシ装置は、サイドブラシを傾けてブラシの前部と外側横部を清掃箇所に接触させ、ブラシの後部と内側横部を清掃箇所に接触させないようにして、清掃箇所にある塵埃がメインブラシの清掃範囲に効率良く掃き出されるようになっている。このサイドブラシを傾斜角がある清掃箇所（例えば道路の側溝）で用いるために、従来では、清掃車の車体に備えたブラケットに、サイドブラシを回転可能に支承しているブラシ支承体をその回転軸線がブラケットに対して横方向に傾くように取付け、サイドブラシの横傾斜角を清掃箇所の傾斜角に対応させるものが知られている。特許文献１に記載のように、ブラケットの先端部に備えた枢軸によりサイドブラシを支承したブラシ支承体が揺動自在に支持され、ブラケットの先端部とブラシ支承体との間に横チルトシリンダを介在させ、横チルトシリンダのロッドの突出量を制御してサイドブラシの横傾斜角を清掃箇所の傾斜角に自動追従させるものや、特許文献２に記載のように、アームブラケット（ブラケット）に備えたピン（枢軸）によりサイドブラシを支持した支持アーム（ブラシ支承体）が揺動自在に支持され、支持アームに取付けた傾斜角調整ボルトの突出量を調整してサイドブラシの横傾斜角を清掃箇所の傾斜角に対応させるものである。
【特許文献１】特許第３５６７９４７号公報
【特許文献２】特許第３１３４４８５号公報
【発明の開示】
【発明が解決しようとする課題】
【０００３】
特許文献１のように、サイドブラシを強制的に揺動させる横チルトシリンダを設けるためには、油圧駆動源や油圧配管等を車体に設置しなければならず構造が複雑となり、清掃車全体のコスト高につながるおそれがある。また、特許文献２のように、サイドブラシの横傾斜角を清掃箇所の傾斜角に対応させるために、調整ボルトの突出量を調整しなければならず、清掃箇所の傾斜角が変わる毎に工具を用いてボルトを調整する煩わしさがある。
そこで本発明の課題は、上記問題点を解決するもので、サイドブラシの横傾斜角を清掃箇所の傾斜角に速やかに対応させるようにした簡単な構成で安価な清掃車のサイドブラシ装置を提供することを目的とする。
【課題を解決するための手段】
【０００４】
本発明は、清掃車の車体に備えたブラケットに、サイドブラシを回転可能に支承しているブラシ支承体をその回転軸線がブラケットに対して横方向に傾くように取付け、サイドブラシの横傾斜角を清掃箇所の傾斜角に対応させるようにしてある清掃車のサイドブラシ装置において、ブラケットの先端部に、ブラシ支承体を自重によって作用するモーメントやサイドブラシの接地力によって作用するモーメントがサイドブラシの横傾斜角を負にする方向に作用するように車幅方向外側に変位した枢軸を介して回動自在に設け、ブラケットの先端部とブラシ支承体間にブラシ支承体がサイドブラシの横傾斜角を負にする方向に回動するのを複数の角度位置で受止め可能な横傾斜角変更装置を備えたことを特徴とする（請求項１）。
【０００５】
また、本発明は、ブラケットの先端部には枢軸から離れた位置にストッパ部材を設け、ブラシ支承体には横傾斜角が負になる方向に回動するときストッパ部材に向けて回動する当接部材を設け、ストッパ部材と当接部材の一方には枢軸に対する複数の異なる角度位置に他方に向けて開口する横傾斜角調整溝を設け、ストッパ部材と当接部材の間に複数の横傾斜角調整溝に選択的に係脱可能な調整部材を挟持可能に設けて横傾斜角変更装置を構成して成ることを特徴とする（請求項２）。また、本発明は、横傾斜角調整溝に選択的に係脱可能な調整部材をブラケットの先端部に保持可能に設け（請求項３）、具体的には、ブラケットの先端部に左右一対のストッパ部材を設け、当接部材を一対のストッパ部材の間に位置させ、一対のストッパ部材に当接する長尺の調整部材の両端部にストッパ部材に沿う保持部材を夫々設け、保持部材に枢軸に嵌合する長孔を設け、枢軸に長孔を案内させて横傾斜角調整溝に係合する調整部材の位置を変更するようにして成ることを特徴とする（請求項４）。
【発明の効果】
【０００６】
本発明は、ブラケットの先端部に、ブラシ支承体を自重や接地力によるモーメントがサイドブラシの横傾斜角を負にする方向に作用するように車幅方向外側に変位した枢軸を介して回動自在に設け、ブラケットの先端部とブラシ支承体間にブラシ支承体がサイドブラシの横傾斜角を負にする方向に回動するのを複数の角度位置で受止め可能な横傾斜角変更装置を備えたので、横傾斜角変更装置によってブラシ支承体の受止め位置を変更することで簡易迅速にサイドブラシの横傾斜角を複数の清掃箇所の傾斜角に対応できる。
また、本発明は、ブラケットの先端部にストッパ部材を設け、ブラシ支承体にストッパ部材に向けて回動する当接部材を設け、ストッパ部材と当接部材の一方に複数の異なる角度位置で他方に向けて開口する横傾斜角調整溝を設け、ストッパ部材と当接部材の間に複数の横傾斜角調整溝に選択的に係脱可能な調整部材を挟持可能に設けているので、ストッパ部材と当接部材間にある調整部材を複数の横傾斜角調整溝に選択的に係脱させることで、工具等を用いることなく人手によって簡単にサイドブラシの横傾斜角を複数の角度に段階的に変更できると共に簡易な構成にできる。しかも、ブラシ支承体の自重とサイドブラシに作用する接地力がサイドブラシの横傾斜角を負にする方向（戻す方向）に作用するように枢軸を設けているので、当接部材が調整部材を介してストッパ部材に常に当接し、サイドブラシの横傾斜角を選択した角度に確実に保持できる。
【０００７】
また、本発明は、横傾斜角調整溝に選択的に係脱可能な調整部材をブラケットの先端部に保持可能に設けているので、調整部材を横傾斜角調整溝に選択的に係脱させる際にブラケットの先端部から離脱するのを阻止でき、調整部材の紛失を防止できる。
また、本発明は、当接部材をブラケットの先端部に設けた一対のストッパ部材の間に位置させ、一対のストッパ部材に当接する長尺の調整部材の両端部にストッパ部材に沿う保持部材を夫々設け、保持部材に枢軸に嵌合する長孔を設け、枢軸に長孔を案内させて横傾斜角調整溝に係合する調整部材の位置を変更するようにしたので、調整部材を長孔やストッパ部材に案内させて容易に移動させることができ、調整部材を横傾斜角調整溝に選択的に係脱させることができ、サイドブラシの横傾斜角を変更するための調整部材の操作を簡易迅速に短時間で行うことができる。
【発明を実施するための最良の形態】
【０００８】
図１に示す清掃車１は、車体２の下側に、清掃箇所Ｒにある塵埃を車幅方向内側に掃き寄せるサイドブラシ３と、サイドブラシ３の後方で塵埃を清掃箇所Ｒから掃き上げるメインブラシ４と、メインブラシ４の前方で塵埃をホッパ（図示しない）に運び上げるエレベータ装置５とが配設されている。前記サイドブラシ３は、ブラケット１１とブラシ支承体１２とから成るサイドブラシ装置１０に備えられている。ブラケット１１は車体２に設けた固定軸６に上下に揺動可能に支持されている。ブラケット１１はリフトワイヤ７を介して運転席近くの操作レバー８に連結されているので、操作レバー８によりブラケット１１、ブラシ支承体１２を介してサイドブラシ３は清掃箇所Ｒから離れた格納位置Ａと清掃箇所Ｒに接する作業位置Ｂとに昇降するようになっている。また、サイドブラシ３は、ブラシ支承体１２に固定した駆動源（例えば油圧モータ）１３により駆動されるようになっている。
このサイドブラシ装置１０のサイドブラシ３を用いて傾斜角θのある清掃箇所（例えば道路の側溝）を清掃するために、清掃車１の車体２に備えたブラケット１１に、サイドブラシ３を回転可能に支承しているブラシ支承体１２をその回転軸線ＣＬがブラケット１１に対して横方向に傾くように取付け、サイドブラシ３の横傾斜角αを清掃箇所の傾斜角θに対応させるようになっている。また、図１，２に示すように、予めブラケット１１の先端部１１Ａとブラシ支承体１２の傾きを調整することで、作業位置Ｂではサイドブラシ３の前部と外側横部とを清掃箇所Ｒに接触させ、サイドブラシ３の後部と内側横部とを清掃箇所Ｒに接触させないようになっている。
【０００９】
前記ブラケット１１の先端部１１Ａに、ブラシ支承体１２を自重によって作用するモーメントやサイドブラシ３の接地力によって作用するモーメントがサイドブラシ３の横傾斜角αを負にする方向に作用するように車幅方向外側に変位した枢軸１４を介して回動自在に設けられている。また、ブラケット１１の先端部１１Ａとブラシ支承体１２間にブラシ支承体１２がサイドブラシ３の横傾斜角αを負にする方向に回動するのを複数の角度位置で受止め可能な横傾斜角変更装置２０が備えられている。
横傾斜角変更装置２０について説明する。ブラケット１１の先端部１１Ａには枢軸１４から離れた位置に左右一対のストッパ部材２１が設けられている。ブラシ支承体１２はＬ字状に屈曲された板部材２２Ａに後述する当接部材２２Ｂがボルト部材２３を介して連結されたものである。当接部材２２Ｂは、サイドブラシ３の横傾斜角αが負になる方向に回動するとき一対のストッパ部材２１に向けて回動するようになっている。当接部材２２Ｂは一対のストッパ部材２１の間に位置するように形成されている。ストッパ部材２１と当接部材２２Ｂの一方には枢軸１４に対する複数の異なる角度位置に他方に向けて開口する横傾斜角調整溝２４が設けられ、ストッパ部材２１と当接部材２２Ｂの間に複数（例えば３つ）の横傾斜角調整溝２４に選択的に係脱可能な調整部材２５を挟持可能に設けて横傾斜角変更装置２０が構成されている。尚、本実施形態では、一対のストッパ部材２１に当接部材２２Ｂに向かって開口する複数の横傾斜角調整溝２４を設け、一対のストッパ部材２１に設けた各横傾斜角調整溝２４に係脱可能となるように調整部材２５を長尺の棒部材としてある。また、当接部材２２Ａにストッパ部材２１に向かって開口する複数の横傾斜角調整溝２４を設けてもよい。前記調整部材２５の両端部に一対のストッパ部材２１に沿う保持部材２６が夫々設けられ、各保持部材２６には枢軸１４に嵌合する長孔２６ａが設けられている。よって、ブラケット１１に保持可能に設けられた調整部材２５は、枢軸１４に長孔２６ａを案内させることで離脱することなく横傾斜角調整溝２４に係合する位置を変更することができる。
【００１０】
次に、上記構成のサイドブラシ装置１０に備えたサイドブラシ３の横傾斜角αを清掃箇所の傾斜角θに対応させる動作について説明する。図４（ａ）に示すような傾斜角θ１のある清掃箇所Ｒ１（例えば道路の側溝）の清掃を行う場合、清掃車１を清掃箇所Ｒ１に移動させ、操作レバー８によりサイドブラシ３を作業位置Ｂに降ろした後、作業者により図２の状態からサイドブラシ３の横傾斜角αを清掃箇所の傾斜角θ１に対応させるようになっている。作業者によりサイドブラシ３の横傾斜角αを正にする方向にブラシ支承体１２を回動させる（サイドブラシ３の外側横部を清掃箇所Ｒ１に押付ける）と、図５（ａ）のように、ストッパ部材２１と当接部材２２Ｂによる調整部材２５の挟持状態が解除されて調整部材２５を上下に移動させることが可能となる。図５（ｂ）のように、調整部材２５を移動させた後、サイドブラシ３の押付けを解除すると、ブラシ支承体１４は自重によって作用するモーメントやサイドブラシ３の接地力によって作用するモーメントがサイドブラシ３の横傾斜角αを負にする方向に作用する。そして、図４（ａ）のように、ストッパ部材２１と当接部材２２Ｂの間に調整部材２５が挟持されることで、ブラシ支承体１２がサイドブラシ３の横傾斜角αを負にする方向に回動することが受け止められるとともに、サイドブラシ３の横傾斜角αを清掃箇所Ｒ１の傾斜角θ１に対応することになる。次に、図４（ｂ）に示すような傾斜角θ２のある清掃箇所Ｒ２の清掃を行う場合には、上記同様に、調整部材２５を移動させ、サイドブラシ３の横傾斜角αを清掃箇所Ｒ２の傾斜角θ２に対応させるようになっている。
【００１１】
従って、ブラケット１１に、ブラシ支承体１２を自重や接地力によるモーメントがサイドブラシ３の横傾斜角αを負にする方向に作用するように車幅方向外側に変位した枢軸１４を介して回動自在に設け、ブラケット１１とブラシ支承体１２間にブラシ支承体１２がサイドブラシ３の横傾斜角αを負にする方向に回動するのを複数の角度位置で受止め可能な横傾斜角変更装置２０を備えたので、横傾斜角変更装置２０によってブラシ支承体１２の受止め位置を変更することで簡易迅速にサイドブラシ３の横傾斜角αを複数の清掃箇所の傾斜角θに対応させることが可能となる。
また、ブラケット１１にストッパ部材２１を設け、ブラシ支承体１２にストッパ部材２１に向けて回動する当接部材２２Ｂを設け、ストッパ部材２１と当接部材２２Ｂの一方に複数の異なる角度位置で他方に向けて開口する横傾斜角調整溝２４を設け、ストッパ部材２１と当接部材２２Ｂの間に複数の横傾斜角調整溝２４に選択的に係脱可能な調整部材２５を挟持可能に設けているので、ストッパ部材２１と当接部材２２Ｂ間にある調整部材２５を複数の横傾斜角調整溝２４に選択的に係脱させることで、工具等を用いることなく人手によって簡単にサイドブラシ３の横傾斜角αを複数の傾斜角θに対応させると共に簡易な構成となる。しかも、ブラシ支承体１２の自重とサイドブラシ３に作用する接地力がサイドブラシ３の横傾斜角αを負にする方向に作用するように枢軸１４を設けているので、当接部材２２Ｂが調整部材２５を介してストッパ部材２１に常に当接し、サイドブラシ３の横傾斜角αを選択した角度に確実に保持させるようになっている。
【００１２】
また、横傾斜角調整溝２４に選択的に係脱可能な調整部材２５をブラケット１１に保持可能に設けているので、調整部材２５を横傾斜角調整溝２４に選択的に係脱させる際にブラケット１１から離脱するのを阻止でき、調整部材２５の紛失を防止することが可能となる。また、当接部材２２Ｂをブラケット１１に設けた一対のストッパ部材２１の間に位置させ、一対のストッパ部材２１に当接する長尺の調整部材２５の両端部にストッパ部材２１に沿う保持部材２６を夫々設け、保持部材２６に枢軸１４に嵌合する長孔２６ａを設け、枢軸１４に長孔２６ａを案内させて横傾斜角調整溝２４に係合する調整部材２５の位置を変更するようにしたので、調整部材２５を長孔２６ａやストッパ部材２１に案内させて容易に移動させることができ、調整部材２５を横傾斜角調整溝２４に選択的に係脱させることができ、サイドブラシ３の横傾斜角αを変更するための調整部材２５の操作を簡易迅速に短時間で行うことが可能となる。
【図面の簡単な説明】
【００１３】
【図１】本発明のサイドブラシ装置を備えた清掃車を示す図である。
【図２】図１のＩＩ視図であり、サイドブラシを前方向に傾けていない状態を示す図である。
【図３】横傾斜角変更装置を示す図である。
【図４】清掃箇所の傾斜角にサイドブラシの横傾斜角を対応させた状態を示す図である。
【図５】調整部材の移動状態を示す図である。
【符号の説明】
【００１４】
１      清掃車
２      車体
３      サイドブラシ
１０      サイドブラシ装置
１１      ブラケット
１１Ａ    先端部
１２      ブラシ支承体
１４      枢軸
２０      横傾斜角変更装置
２１      ストッパ部材
２２Ｂ    当接部材
２４      横傾斜角調整溝
２５      調整部材
２６      保持部材
２６ａ    長孔
ＣＬ      回転軸線
α      横傾斜角
Ｒ      清掃箇所
θ      傾斜角
【図１】
2008208579.tif 000003
【図２】
2008208579.tif 000004
【図３】
2008208579.tif 000005
【図４】
2008208579.tif 000006
【図５】
2008208579.tif 000007